(57)【要約】      （修正有）【課題】システム全体として無線リソースが圧迫されることを抑制しつつ、ユーザ端末からのチャネル状態を測定する。【解決手段】通信制御方法は、基地局が、ユーザ端末から送信される上りリンクの参照信号のパラメータを指定する参照信号設定情報を少なくとも１以上の通信装置に通知する通知ステップと、前記ユーザ端末が、前記基地局に前記上りリンクの参照信号を送信するステップと、前記少なくとも１以上の通信装置が、前記ユーザ端末から送信された前記上りリンクの参照信号を、前記参照信号設定情報に基づいて受信して前記少なくとも１以上の通信装置と前記ユーザ端末との間のチャネル状態を測定する測定ステップと、を有する。【選択図】図９
2015012404.tif 000002
【特許請求の範囲】
【請求項１】
ユーザ端末と、該ユーザ端末から送信される上りリンクの参照信号を受信する基地局と、前記基地局とは異なる少なくとも１以上の通信装置と、を有する通信システムにおいて用いられる通信制御方法であって、
前記基地局が、前記上りリンクの参照信号のパラメータを指定する参照信号設定情報を前記少なくとも１以上の通信装置に通知する通知ステップと、
前記ユーザ端末が、前記基地局に前記上りリンクの参照信号を送信するステップと、
前記少なくとも１以上の通信装置が、前記ユーザ端末から送信された前記上りリンクの参照信号を、前記参照信号設定情報に基づいて受信して前記少なくとも１以上の通信装置と前記ユーザ端末との間のチャネル状態を測定する測定ステップと、を有することを特徴とする通信制御方法。
【請求項２】
前記少なくとも１以上の通信装置には、前記ユーザ端末と直接的な端末間通信であるＤ２Ｄ通信を行う他のユーザ端末が含まれ、
前記測定ステップにおいて前記他のユーザ端末が測定した前記チャネル状態を示すチャネル状態情報を前記基地局に送信するステップと、
前記基地局が、前記Ｄ２Ｄ通信のために、前記チャネル状態情報に基づいて前記ユーザ端末のスケジューリングを行うスケジューリングステップと、をさらに有することを特徴とする請求項１に記載の通信制御方法。
【請求項３】
前記測定ステップは、前記基地局が、前記上りリンクの参照信号を受信して前記基地局と前記ユーザ端末との間のチャネル状態を測定するステップを含み、
前記スケジューリングステップにおいて、前記基地局は、前記ユーザ端末へのビームフォーミング及び／又はヌルステアリングのために、前記他のユーザ端末と前記ユーザ端末との間の前記チャネル状態及び／又は前記基地局と前記ユーザ端末との間の前記チャネル状態に基づいて前記ユーザ端末のスケジューリングを行うことを特徴とする請求項２に記載の通信制御方法。
【請求項４】
前記少なくとも１以上の通信装置には、前記ユーザ端末と直接的な端末間通信であるＤ２Ｄ通信を行う他のユーザ端末が含まれ、
前記ユーザ端末又は前記他のユーザ端末が、前記測定ステップにおいて前記他のユーザ端末が測定した前記チャネル状態に基づいて、前記Ｄ２Ｄ通信のためにスケジューリングを行うステップをさらに有することを特徴とする請求項１に記載の通信制御方法。
【請求項５】
前記通信システムは、前記ユーザ端末の接続先を選択する判定装置をさらに有し、
前記少なくとも１以上の通信装置が、前記測定ステップにおいて測定された前記チャネル状態を示すチャネル状態情報を前記判定装置に通知するチャネル状態情報通知ステップと、
前記判定装置が、前記少なくとも１以上の通信装置から通知された前記チャネル状態情報及び／又は前記基地局が前記上りリンクの参照信号を受信して測定したチャネル状態に基づいて、前記ユーザ端末の接続先を選択する接続先選択ステップと、をさらに有することを特徴とする請求項１に記載の通信制御方法。
【請求項６】
前記チャネル状態情報通知ステップにおいて、前記少なくとも１以上の通信装置は、前記チャネル状態情報と共に、前記少なくとも１以上の通信装置の通信に関する通信情報を前記判定装置に通知するステップをさらに有し、
前記接続先選択ステップにおいて、前記判定装置は、前記チャネル状態情報と前記少なくとも１以上の通信装置の通信情報とに基づいて、前記ユーザ端末の接続先を選択することを特徴とする請求項５に記載の通信制御方法。
【請求項７】
前記少なくとも１以上の通信装置には、前記基地局に隣接する隣接基地局が含まれ、
前記基地局と前記隣接基地局とが、前記測定ステップにおいて測定された前記チャネル状態と、前記基地局が前記上りリンクの参照信号を受信して測定した前記チャネル状態とに基づいて、協調して前記ユーザ端末との通信を行うステップと、をさらに有することを特徴とする請求項１に記載の通信制御方法。
【請求項８】
前記参照信号設定情報は、前記少なくとも１以上の通信装置が前記上りリンクの参照信号を受信するタイミングを調整するための情報を含むことを特徴とする請求項１に記載の通信制御方法。
【請求項９】
前記少なくとも１以上の通信装置が、前記参照信号設定情報の通知を前記基地局に要求するステップをさらに有し、
前記通知ステップにおいて、前記基地局は、前記参照信号設定情報の通知の要求に基づいて前記参照信号設定情報を通知することを特徴とする請求項１に記載の通信制御方法。
【請求項１０】
ユーザ端末と、該ユーザ端末から送信される上りリンクの参照信号を受信する基地局と、前記基地局とは異なる少なくとも１以上の通信装置と、を有する通信システムにおける基地局であって、
前記上りリンクの参照信号のパラメータを指定する参照信号設定情報を前記少なくとも１以上の通信装置に通知する制御を行う制御部を備えることを特徴とする基地局。
【請求項１１】
ユーザ端末と、該ユーザ端末から送信される上りリンクの参照信号を受信する基地局と、前記基地局とは異なる少なくとも１以上の通信装置と、を有する通信システムにおけるユーザ端末であって、
前記少なくとも１以上の通信装置は、前記基地局から、前記上りリンクの参照信号のパラメータを指定する参照信号設定情報を取得できるものであり、
前記ユーザ端末は、前記基地局及び前記少なくとも１以上の通信装置のために前記上りリンクの参照信号を送信する送信部を備えることを特徴とするユーザ端末。
【発明の詳細な説明】
【技術分野】
【０００１】
本発明は、通信システムにおいて用いられる通信制御方法、基地局及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。
【０００３】
Ｄ２Ｄ通信では、近接する複数のユーザ端末が、コアネットワークを介さずに直接的な通信を行う。すなわち、Ｄ２Ｄ通信のデータパスは、コアネットワークを経由しない。一方、移動通信システムの通常の通信（セルラ通信）のデータパスは、コアネットワークを経由する。
【先行技術文献】
【非特許文献】
【０００４】
【非特許文献１】３ＧＰＰ技術報告  「ＴＲ  ２２．８０３  Ｖ１．１．０」  ２０１２年１１月
【発明の概要】
【発明が解決しようとする課題】
【０００５】
ところで、現状の仕様において、ユーザ端末間のチャネル状態を測定するための仕組みが存在しない。したがって、Ｄ２Ｄ通信を効率よく行うために、ユーザ端末間のチャネル状態を測定するための参照信号を新たに規定することが想定される。
【０００６】
しかしながら、基地局と接続を確立しているユーザ端末は、ユーザ端末と基地局との間のチャネル状態を測定するために上りリンクの参照信号（ＳＲＳ）を送信しているため、ユーザ端末間のチャネル状態を測定するために新たな参照信号を送信した場合、新たな参照信号のための無線リソースを追加する必要があるため、システム全体として無線リソースが圧迫されるという問題がある。
【０００７】
また、ユーザ端末間のチャネル状態の測定だけでなく、例えば、ユーザ端末と複数の基地局（一例として、マクロ基地局と小セル基地局）との間のチャネル状態を測定する場合にも、現状の仕様において、チャネル状態を測定するための共通の上りリンクの参照信号が規定されていないため、同様の問題がある。
【０００８】
そこで、本発明は、新たな上りリンクの参照信号を規定しなくても、システム全体として無線リソースが圧迫されることを抑制しつつ、ユーザ端末からのチャネル状態を測定することが可能な通信制御方法、基地局及びユーザ端末を提供する。
【課題を解決するための手段】
【０００９】
一実施形態によれば、通信制御方法は、ユーザ端末と、該ユーザ端末から送信される上りリンクの参照信号を受信する基地局と、前記基地局とは異なる少なくとも１以上の通信装置と、を有する通信システムにおいて用いられる。当該通信制御方法は、前記基地局が、前記上りリンクの参照信号のパラメータを指定する参照信号設定情報を前記少なくとも１以上の通信装置に通知する通知ステップと、前記ユーザ端末が、前記基地局に前記上りリンクの参照信号を送信するステップと、前記少なくとも１以上の通信装置が、前記ユーザ端末から送信された前記上りリンクの参照信号を、前記参照信号設定情報に基づいて受信して前記少なくとも１以上の通信装置と前記ユーザ端末との間のチャネル状態を測定する測定ステップと、を有する。
【発明の効果】
【００１０】
本発明に係る通信制御方法、基地局及びユーザ端末によれば、新たな参照信号を規定しなくても、システム全体として無線リソースが圧迫されることを抑制しつつ、ユーザ端末からのチャネル状態を測定することが可能である。
【図面の簡単な説明】
【００１１】
【図１】図１は、ＬＴＥシステムの構成図である。
【図２】図２は、第１実施形態に係るＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、セルラ通信におけるデータパスを示す図である。
【図７】図７は、Ｄ２Ｄ通信におけるデータパスを示す図である。
【図８】図８は、第１実施形態に係る移動通信システムの状況を説明するための説明図である。
【図９】図９は、第１実施形態に係る移動通信システムの状況を説明するための説明図である。
【図１０】図１０は、第１実施形態に係る移動通信システムの動作例を示すシーケンス図である。
【図１１】図１１は、第１実施形態の変形例に係る移動通信システムの動作例を示すシーケンス図である。
【図１２】図１２は、第２実施形態に係るシステム構成図である。
【図１３】図１３は、第２実施形態に係るＵＥ１００のブロック図である。
【図１４】図１４は、第２実施形態に係るＡＰ４００のブロック図である。
【図１５】図１５は、第１実施形態に係る移動通信システムの状況を説明するための説明図である。
【図１６】図１６は、第１実施形態に係る移動通信システムの動作例を示すシーケンス図である。
【図１７】図１７は、第２実施形態の変形例に係る移動通信システムの状況を説明するための説明図である。
【図１８】図１８は、第２実施形態の変形例に係る移動通信システムの動作例を示すシーケンス図である。
【発明を実施するための形態】
【００１２】
［実施形態の概要］
実施形態に係る通信制御方法は、ユーザ端末と、該ユーザ端末から送信される上りリンクの参照信号を受信する基地局と、前記基地局とは異なる少なくとも１以上の通信装置と、を有する通信システムにおいて用いられる通信制御方法であって、前記基地局が、前記上りリンクの参照信号のパラメータを指定する参照信号設定情報を前記少なくとも１以上の通信装置に通知する通知ステップと、前記ユーザ端末が、前記基地局に前記上りリンクの参照信号を送信するステップと、前記少なくとも１以上の通信装置が、前記ユーザ端末から送信された前記上りリンクの参照信号を、前記参照信号設定情報に基づいて受信して前記少なくとも１以上の通信装置と前記ユーザ端末との間のチャネル状態を測定する測定ステップと、を有する。
【００１３】
なお、少なくとも１以上の通信装置の一例として、ユーザ端末（ＵＥ）、基地局（ＭｅＮＢ、ＨｅＮＢ、ＰｅＮＢ）、無線ＬＡＮアクセスポイント（ＡＰ）が挙げられるが、これに限られない。
【００１４】
第１実施形態において、前記少なくとも１以上の通信装置には、前記ユーザ端末と直接的な端末間通信であるＤ２Ｄ通信を行う他のユーザ端末が含まれる。第１実施形態に係る通信制御方法は、前記測定ステップにおいて前記他のユーザ端末が測定した前記チャネル状態を示すチャネル状態情報を前記基地局に送信するステップと、前記基地局が、前記Ｄ２Ｄ通信のために、前記チャネル状態情報に基づいて前記ユーザ端末のスケジューリングを行うスケジューリングステップと、をさらに有する。
【００１５】
第１実施形態に係る通信制御方法は、前記測定ステップは、前記基地局が、前記上りリンクの参照信号を受信して前記基地局と前記ユーザ端末との間のチャネル状態を測定するステップを含む。前記スケジューリングステップにおいて、前記基地局は、前記ユーザ端末へのビームフォーミング及び／又はヌルステアリングのために、前記他のユーザ端末と前記ユーザ端末との間の前記チャネル状態及び／又は前記基地局と前記ユーザ端末との間の前記チャネル状態に基づいて前記ユーザ端末のスケジューリングを行う。
【００１６】
第１実施形態の変形例において、前記少なくとも１以上の通信装置には、前記ユーザ端末と直接的な端末間通信であるＤ２Ｄ通信を行う他のユーザ端末が含まれる。第１実施形態に係る通信制御方法は、前記ユーザ端末又は前記他のユーザ端末が、前記測定ステップにおいて前記他のユーザ端末が測定した前記チャネル状態に基づいて、前記Ｄ２Ｄ通信のためにスケジューリングを行うステップをさらに有する。
【００１７】
第２実施形態において、前記通信システムは、前記ユーザ端末の接続先を選択する判定装置をさらに有する。第２実施形態に係る通信制御方法は、前記少なくとも１以上の通信装置が、前記測定ステップにおいて測定された前記チャネル状態を示すチャネル状態情報を前記判定装置に通知するチャネル状態情報通知ステップと、前記判定装置が、前記少なくとも１以上の通信装置から通知された前記チャネル状態情報及び／又は前記基地局が前記上りリンクの参照信号を受信して測定したチャネル状態に基づいて、前記ユーザ端末の接続先を選択する接続先選択ステップと、をさらに有する。
【００１８】
第２実施形態に係る通信制御方法は、前記チャネル状態情報通知ステップにおいて、前記少なくとも１以上の通信装置は、前記チャネル状態情報と共に、前記少なくとも１以上の通信装置の通信に関する通信情報を前記判定装置に通知するステップをさらに有し、前記接続先選択ステップにおいて、前記判定装置は、前記チャネル状態情報と前記少なくとも１以上の通信装置の通信情報とに基づいて、前記ユーザ端末の接続先を選択する。
【００１９】
第２実施形態の変形例において、前記少なくとも１以上の通信装置には、前記基地局に隣接する隣接基地局が含まれ、第２実施形態の変形例に係る通信制御方法は、前記基地局と前記隣接基地局とが、前記測定ステップにおいて測定された前記チャネル状態と、前記基地局が前記上りリンクの参照信号を受信して測定した前記チャネル状態とに基づいて、協調して前記ユーザ端末との通信を行うステップと、をさらに有する。
【００２０】
第２実施形態の変形例において、前記参照信号設定情報は、前記少なくとも１以上の通信装置が前記上りリンクの参照信号を受信するタイミングを調整するための情報を含む。
【００２１】
第１実施形態の変形例において、前記少なくとも１以上の通信装置が、前記参照信号設定情報の通知を前記基地局に要求するステップをさらに有する。前記通知ステップにおいて、前記基地局は、前記参照信号設定情報の通知の要求に基づいて前記参照信号設定情報を通知する。
【００２２】
第１及び第２実施形態に係る基地局は、ユーザ端末と、該ユーザ端末から送信される上りリンクの参照信号を受信する基地局と、前記基地局とは異なる少なくとも１以上の通信装置と、を有する通信システムにおける基地局である。前記基地局は、前記上りリンクの参照信号のパラメータを指定する参照信号設定情報を前記少なくとも１以上の通信装置に通知する制御を行う制御部を備える。
【００２３】
第１及び第２実施形態に係るユーザ端末は、ユーザ端末と、該ユーザ端末から送信される上りリンクの参照信号を受信する基地局と、前記基地局とは異なる少なくとも１以上の通信装置と、を有する通信システムにおけるユーザ端末である。前記少なくとも１以上の通信装置は、前記基地局から、前記上りリンクの参照信号のパラメータを指定する参照信号設定情報を取得できるものである。前記ユーザ端末は、前記基地局及び前記少なくとも１以上の通信装置のために前記上りリンクの参照信号を送信する送信部を備える。
【００２４】
［第１実施形態］
以下、図面を参照して、３ＧＰＰ規格に準拠して構成されるセルラ移動通信システム（以下、「ＬＴＥシステム」）にＤ２Ｄ通信を導入する場合の各実施形態を説明する。
【００２５】
（ＬＴＥシステム）
図１は、本実施形態に係るＬＴＥシステムの構成図である。
【００２６】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２７】
ＵＥ１００は、移動型の無線通信装置であり、接続を確立したセル（サービングセル）との無線通信を行う。ＵＥ１００はユーザ端末に相当する。
【００２８】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２９】
なお、「セル」は、無線通信エリアの最小単位を示す用語として使用される他に、ＵＥ１００との無線通信を行う機能を示す用語としても使用される。
【００３０】
ｅＮＢ２００は、例えば、無線リソース管理（ＲＲＭ）機能と、ユーザデータのルーティング機能と、モビリティ制御及びスケジューリングのための測定制御機能と、を有する。
【００３１】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と、ＯＡＭ６００（Ｏｐｅｒａｔｉｏｎ  ａｎｄ  Ｍａｉｎｔｅｎａｎｃｅ）と）を含む。また、ＥＰＣ２０は、コアネットワークに相当する。
【００３２】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３３】
ｅＮＢ２００は、Ｘ２インターフェイスを介して相互に接続される。また、ｅＮＢ２００は、Ｓ１インターフェイスを介してＭＭＥ／Ｓ−ＧＷ５００と接続される。
【００３４】
ＯＡＭ６００は、オペレータによって管理されるサーバ装置であり、Ｅ−ＵＴＲＡＮ１０の保守及び監視を行う。
【００３５】
次に、ＵＥ１００及びｅＮＢ２００の構成を説明する。
【００３６】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３７】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３８】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３９】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４０】
ＧＮＳＳ受信機１３０は、ＵＥ１００の地理的な位置を示す位置情報を得るために、ＧＮＳＳ信号を受信して、受信した信号をプロセッサ１６０に出力する。
【００４１】
バッテリ１４０は、ＵＥ１００の各ブロックに供給すべき電力を蓄える。
【００４２】
メモリ１５０は、プロセッサ１６０によって実行されるプログラムと、プロセッサ１６０による処理に使用される情報と、を記憶する。
【００４３】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４４】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４５】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４６】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。ネットワークインターフェイス２２０は、Ｘ２インターフェイス上で行う通信及びＳ１インターフェイス上で行う通信に用いられる。
【００４７】
メモリ２３０は、プロセッサ２４０によって実行されるプログラムと、プロセッサ２４０による処理に使用される情報と、を記憶する。
【００４８】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４９】
図４は、ＬＴＥシステムにおける無線インターフェイスのプロトコルスタック図である。
【００５０】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５１】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５２】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５３】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５４】
ＰＤＣＰレイヤは、ヘッダ圧縮・伸張、及び暗号化・復号化を行う。
【００５５】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５６】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５７】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５８】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５９】
ＵＥ１００に割り当てられる無線リソースのうち、周波数リソースはリソースブロックにより特定でき、時間リソースはサブフレーム（又はスロット）により特定できる。
【００６０】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００６１】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００６２】
（Ｄ２Ｄ通信）
次に、ＬＴＥシステムの通常の通信（セルラ通信）とＤ２Ｄ通信とを比較して説明する。
【００６３】
図６は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６４】
図６に示すように、セルラ通信のデータパスはネットワークを経由する。詳細には、ｅＮＢ２００−１、Ｓ−ＧＷ５００、及びｅＮＢ２００−２を介するデータパスが設定される。
【００６５】
図７は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６６】
例えば、ＵＥ１００−１及びＵＥ１００−２のうち一方のＵＥ１００が、近傍に存在する他方のＵＥ１００を発見することで、Ｄ２Ｄ通信が開始される。なお、Ｄ２Ｄ通信を開始するために、ＵＥ１００は、自身の近傍に存在する他のＵＥ１００を発見する（Ｄｉｓｃｏｖｅｒ）機能を有する。また、ＵＥ１００は、他のＵＥ１００から発見される(Ｄｉｓｃｏｖｅｒａｂｌｅ)機能を有する。
【００６７】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００６８】
（第１実施形態に係るシステムの概略動作）
次に、第１実施形態に係るシステムの概略動作について、図８から図１０を用いて説明する。図８及び図９は、第１実施形態に係る移動通信システムの状況を説明するための説明図である。図１０は、第１実施形態に係る移動通信システムの動作例を示すシーケンス図である。
【００６９】
本実施形態において、図８に示すように、ＵＥ１００−１（Ｄ２Ｄ  ＵＥ１００−１）とＵＥ１００−２（Ｄ２Ｄ  ＵＥ１００−２）との間には、Ｄ２Ｄ通信用のデータを送受信するためのリンク（Ｄａｔａ  Ｌｉｎｋ）が設けられている。すなわち、ＵＥ１００−１及びＵＥ１００−２は、Ｄ２Ｄグループ（Ｄ２Ｄ  Ｇｒｏｕｐ）を構成している。また、ＵＥ１００−１とｅＮＢ２００との間及びＵＥ１００−２とｅＮＢ２００との間には、Ｄ２Ｄ通信を制御するためのリンク（Ｃｏｎｔｒｏｌ  Ｌｉｎｋ）が設けられている。すなわち、ｅＮＢ２００の制御の下、ＵＥ１００−１及びＵＥ１００−２は、Ｄ２Ｄ通信（Ｄ２Ｄ  ｃｏｍｍｕｎｉｃａｔｉｏｎ）を行っている。
【００７０】
ＵＥ１００−３（Ｃｅｌｌｕｌａｒ  ＵＥ１００−３）とｅＮＢ２００との間には、セルラ通信用のデータを送受信するためのリンク（Ｄａｔａ  Ｌｉｎｋ）及びを制御するためのリンク（Ｃｏｎｔｒｏｌ  Ｌｉｎｋ）が設けられている。ＵＥ１００−３は、セルラ通信を行っている。
【００７１】
図１０に示すように、ステップ１０１において、ｅＮＢ２００は、ＵＥ１００−１に、上りリンクの参照信号（ＳＲＳ）のパラメータを設定するための参照信号設定情報（ＲＳ  ｃｏｎｆｉｇｕｒａｔｉｏｎ）をＵＥ１００−１に送信する。ＵＥ１００−１は、参照信号設定情報を受信する。
【００７２】
ｅＮＢ２００は、定期的、又は、不定期（例えば、Ｄ２Ｄ通信を始める前、Ｄｉｓｃｏｖｅｒｙを行う際、参照信号設定情報の要求があった場合）に参照信号設定情報を送信する。本実施形態では、ｅＮＢ２００が、定期的に参照信号設定を送信すると仮定して説明を進める。
【００７３】
参照信号設定情報は、ｅＮＢ２００が、ＵＥ１００−１から送信される上りリンクの参照信号を受信するために必要な情報であり、ＵＥ１００−１が送信する参照信号のパラメータを指定している情報である。
【００７４】
なお、ｅＮＢ２００は、参照信号が送信される時間−周波数において、ＵＥ１００−２及びＵＥ１００−３がＵＥ１００−１からの参照信号の受信できるように、各ＵＥ１００（ＵＥ１００−１〜ＵＥ１００−３）に割り当てる無線リソースのスケジューリングを行うことが好ましい。
【００７５】
ステップ１０２において、ｅＮＢ２００は、ＵＥ１００−１の参照信号設定情報を、ＵＥ１００−２及びＵＥ１００−３のそれぞれに送信する。ＵＥ１００−２及びＵＥ１００−３のそれぞれは、ＵＥ１００−１の参照信号設定情報（Ｄ２ＤＵＥ１００−１  ＲＳ  ｃｏｎｆｉｇ．）を受信する。
【００７６】
ＵＥ１００−１の参照信号設定情報は、ＵＥ１００−１が送信する参照信号のパラメータを指定している情報である。具体的には、ＵＥ１００−１の参照信号設定情報は、参照信号のタイミング設定に関する情報（例えば、ＳＲＳ更新周期に由来する変数（ＳＲＳ−ＣｏｎｆｉｇｕｒａｔｉｏｎＩｎｄｅｘなど））、参照信号の受信情報に関する情報（例えば、ＳＲＳ送信帯域幅（ＳＲＳ−ＢａｎｄＷｉｄｔｈＣｏｎｆｉｇｕｒａｔｉｏｎ、ＳＲＳ−ＢａｎｄＷｉｄｔｈなど）、サイクリックシフト、送信くし歯（ｔｒａｎｓｍｉｓｓｉｏｎＣｏｍｂ）、ホッピング関連情報（ｆｒｅｑＤｏｍａｉｎＰｏｓｉｔｉｏｎ、ＳＲＳ−ＨｏｐｐｉｎｇＢａｎｄＷｉｄｔｈなど）、送信アンテナ数）、参照信号の送信電力に関する情報、ユーザ端末間パスロス情報、タイミングアドバンス情報のいずれかを含む。ステップ１０１において送信した参照信号設定情報と同じ情報であってもよい。
【００７７】
ステップ１０３において、ＵＥ１００−２及びＵＥ１００−３のそれぞれは、ＵＥ１００−１の参照信号設定情報に対する応答（ｒｅｓｐｏｎｓｅ）をｅＮＢ２００に送信する。具体的には、ＵＥ１００−２及びＵＥ１００−３のそれぞれは、ＵＥ１００−１の参照信号設定情報を受信したか否かを示す情報をｅＮＢ２００に送信する。なお、ＵＥ１００−２及びＵＥ１００−３のそれぞれは、ＵＥ１００−１の参照信号を受信できない場合は、その旨を当該応答と共にｅＮＢ２００送信してもよい。以下において、ＵＥ１００−２及びＵＥ１００−３のそれぞれは、ＵＥ１００−１の参照信号設定情報を受信したとして説明を進める。
【００７８】
ステップ１０４において、ＵＥ１００−２、ＵＥ１００−３及びｅＮＢ２００のそれぞれは、ＵＥ１００−１から参照信号を受信するために無線リソースを割り当てる。
【００７９】
なお、ＵＥ１００−２及びＵＥ１００−３がＵＥ１００−１から参照信号を受信するために無線リソースを割り当てる代わりに、ｅＮＢ２００が、ＵＥ１００−２及びＵＥ１００−３の参照信号の受信のために無線リソースを割り当て、割り当てた無線リソースをＵＥ１００−２及びＵＥ１００−３に通知してもよい。
【００８０】
ステップ１０５において、図９に示すように、ＵＥ１００−１は、参照信号を送信する（ＲＳ  ｔｒａｎｓｍｉｓｓｉｏｎ）。ＵＥ１００−２、ＵＥ１００−３及びｅＮＢ２００のそれぞれは、参照信号を受信する。
【００８１】
ＵＥ１００−２及びＵＥ１００−３のそれぞれは、ＵＥ１００−１の参照信号設定情報に基づいて、ＵＥ１００−１が参照信号を送信するタイミングである場合には、ＵＥ１００−１からの参照信号を受信するための設定に切り替える。
【００８２】
ステップ１０６において、各ノード（ＵＥ１００−２、ＵＥ１００−３及びｅＮＢ２００）のそれぞれは、受信した参照信号に基づいて、ＵＥ１００−１と各ノードとの間のチャネル状態を測定（Ｃｈａｎｎｅｌ  ｅｓｔｉｍａｔｉｏｎ）する。すなわち、ＵＥ１００−２は、ＵＥ１００−１とＵＥ１００−２との間のチャネル状態の測定を行う。同様に、ＵＥ１００−３は、ＵＥ１００−１とＵＥ１００−３との間のチャネル状態の測定を行い、ｅＮＢ２００は、ＵＥ１００−１とｅＮＢ２００との間のチャネル状態の測定を行う。
【００８３】
ＵＥ１００−２及びＵＥ１００−３のそれぞれは、ＵＥ１００−１の参照信号の送信電力及び自身とＵＥ１００−１との間のパスロスを知っている場合には、当該情報に基づいて、ＡＧＣのゲイン調整などによって、適切な受信電力になるように制御してもよい。
【００８４】
ＵＥ１００−１及びＵＥ１００−２のそれぞれは、ＵＥ１００−１から参照信号を受信でき、チャネル状態を測定できた場合（ＳＲＳ傍受成功の場合）、ステップ１１１の処理を実行する。一方、ＵＥ１００−１及びＵＥ１００−２のそれぞれは、チャネル状態の測定ができなかった場合（ＳＲＳ傍受失敗の場合）、ステップ１２１の処理を実行する。
【００８５】
まず、ＳＲＳ傍受成功の場合、ステップ１１１において、ＵＥ１００−２及びＵＥ１００−３のそれぞれは、ｅＮＢ２００にチャネル状態を示すチャネル報告（Ｃｈａｎｎｅｌ  ｒｅｐｏｒｔ）を送信する。ｅＮＢ２００は、ＵＥ１００−２及びＵＥ１００−３のそれぞれからチャネル報告を受信する。
【００８６】
チャネル報告は、チャネル情報自体（複素数（ａ＋ｊｂ）又は複素行列を含む）であってもよいし、ＣＱＩ（Ｃｈａｎｎｅｌ  Ｑｕａｌｉｔｙ  Ｉｎｄｉｃａｔｏｒ）であってもよいし、チャネル報告は、特性が良い周波数帯域から上位の複数の周波数帯域の組であってもよい。具体的には、チャネル状態は、リソースブロック（ワイドバンド又はサブバンド）毎のＣＱＩ、特性が良いリソースブロック（ワイドバンド又はサブバンド）を上位からいくつか、特性が良いリソースブロック（ワイドバンド又はサブバンド）とＣＱＩとの組み合わせを上位からいくつか、特性が良いリソースブロック（ワイドバンド又はサブバンド）を固定数でいくつか、設定した閾値を超えた特性が良いリソースブロック（ワイドバンド又はサブバンド）を上位からいくつか、特性が悪いリソースブロック（ワイドバンド又はサブバンド）を上位からいくつか、特性が悪いリソースブロック（ワイドバンド又はサブバンド）とＣＱＩとの組み合わせを上位からいくつか、特性が悪いリソースブロック（ワイドバンド又はサブバンド）を固定数でいくつか、の少なくともいずれかを含む情報であってもよい。また、チャネル報告は、チャネル報告を送信するＵＥ１００の識別子及び参照信号を送信したＵＥ１００の識別子を示す情報を含む。
【００８７】
チャネル報告のタイミングは、任意のタイミングであってもよいし、例えば、参照信号を受信した後、４サブフレーム後に報告するなどの予め決められた条件（ｐｒｅｄｅｆｉｎｅｄ  ｃｏｎｄｉｔｉｏｎ）に従ってもよい。
【００８８】
ステップ１１２において、ｅＮＢ２００は、チャネル報告に基づいて、Ｄ２Ｄ通信のリソーススケジューリング（Ｄ２Ｄ  Ｓｃｈｅｄｕｌｉｎｇ）及びセルラ通信のリソーススケジューリング（Ｃｅｌｌｕｌａｒ  Ｓｃｈｅｄｕｌｉｎｇ）を行う。例えば、ｅＮＢ２００は、ＵＥ１００−１からｅＮＢ２００への干渉を抑制でき、ＵＥ１００−１がＵＥ１００−２にビームフォーミングできるように、無線リソースの割り当てを決定する。
【００８９】
ステップ１１３において、ｅＮＢ２００は、チャネル報告に基づいて、適応無線リンクの制御（適応変調：ａｄａｐｔｉｖｅ  ｍｏｄｕｌａｔｉｏｎ）を実行する。具体的には、ｅＮＢ２００は、Ｒａｎｋ数、プリコーディングウェイト、変調方式・チャネル符号化率（ＭＣＳ）の決定を行う。これにより、ｅＮＢ２００は、チャネル状態に基づいて、ＵＥ１００−１からの干渉信号に対してヌルステアリング受信を行う。また、ｅＮＢ２００は、ＵＥ１００−１が、ＵＥ１００−２にビームを向けて、ｅＮＢ２００及びＵＥ１００−３にヌルを向けるように、チャネル状態に基づいて、制御できる。また、ｅＮＢ２００は、ＵＥ１００−３が、ＵＥ１００−１からの干渉信号に対してヌルステアリング受信を行うように、チャネル状態に基づいて制御できるし、ＵＥ１００−３が送信する場合に、ＵＥ１００−１及び／又はＵＥ１００−２にヌルを向けるように、チャネル状態に基づいて制御できる。
【００９０】
なお、本発明（特許請求の範囲）におけるスケジューリングとは、ステップ１１２のスケジューリングだけでなく、スケジューリング１１３の適応無線リンクの制御（適応変調）の実行も含む。
【００９１】
ステップ１１４において、ｅＮＢ２００は、ステップ１１２において、各ＵＥ１００（ＵＥ１００−１、ＵＥ１００−２及びＵＥ１００−３のそれぞれ）に割り当てた無線リソースを各ＵＥ１００に通知する。また、ｅＮＢ２００は、ステップ１１３において決定したプリコーダ行列を、各ＵＥ１００に送信してもよい。
【００９２】
各ＵＥ１００のそれぞれは、ｅＮＢ２００から受信した無線リソース（及びステップ１１３で決定した制御情報）を用いて、Ｄ２Ｄ通信又はセルラ通信を行う。
【００９３】
一方、ＳＲＳ傍受失敗の場合、ステップ１２１において、ＵＥ１００−２及びＵＥ１００−３のそれぞれは、参照信号の受信（傍受）が失敗したことを示す失敗情報を通知する。ｅＮＢ２００は、失敗情報を受信する。
【００９４】
なお、ＵＥ１００−２及びＵＥ１００−３のそれぞれは、失敗情報を通知する必要は必ずしもない。例えば、ＵＥ１００−２及びＵＥ１００−３のそれぞれは、チャネル報告が予め決められた条件（ｐｒｅｄｅｆｉｎｅｄ  ｃｏｎｄｉｔｉｏｎ）に従って通知される場合には、失敗情報を通知しなくてもよい。
【００９５】
ステップ１２２において、失敗情報を受信したｅＮＢ２００は、ＵＥ１００−２及びＵＥ１００−３のそれぞれがＵＥ１００−１からの参照信号を受信できるように、ＵＥ１００−１からの参照信号を受信するタイミングを調整するためのタイミングアドバンス、ＵＥ１００−１の参照信号の送信電力の調整、及び、ＵＥ１００−１からの参照信号の受信電力を制御するためのＡＧＣの制御情報の少なくともいずれかを調整する。なお、ｅＮＢ２００は、当該調整を行わなくてもよい。
【００９６】
ステップ１３１において、ｅＮＢ２００は、ステップ１０１と同様に、ＵＥ１００−１に送信する。ＵＥ１００−１は、参照信号設定情報を受信する。参照信号設定情報には、ＵＥ１００−１の参照信号の送信電力の調整情報が含まれていてもよい。
【００９７】
ステップ１３２において、ｅＮＢ２００は、ＵＥ１００−１の参照信号設定情報をＵＥ１００−２及びＵＥ１００−３のそれぞれに送信する。ｅＮＢ２００は、ステップ１０２の参照信号設定情報から更新した情報を送信してもよい。また、ｅＮＢ２００は、ステップ１２２において調整したタイミングアドバンス又はＡＧＣ制御情報を送信してもよい。
【００９８】
以降の処理は、ステップ１０３以降の処理に対応する。
【００９９】
（第１実施形態の変形例に係るシステムの概略動作）
次に、第１実施形態の変形例に係るシステムの概略動作について、図１１を用いて説明する。図１１は、第１実施形態の変形例に係る移動通信システムの動作例を示すシーケンス図である。なお、上述した実施形態と異なる部分を中心に説明し、同様の部分は、説明を適宜省略する。
【０１００】
上述した実施形態では、ｅＮＢ２００が定期的にＵＥ１００−１の参照信号設定情報をＵＥ１００−１以外の各ＵＥ１００に送信していた。本変形例では、ＵＥ１００の要求に応じて、ｅＮＢ２００は、ＵＥ１００−１の参照信号設定情報をＵＥ１００に送信する。
【０１０１】
さらに、本変形例では、ＵＥ１００−１（Ｄ２ＤＵＥ１００−１（Ｍａｓｔｅｒ））は、Ｄ２Ｄ通信のスケジューリングを行う能力を有する。すなわち、本変形例では、ｅＮＢ２００ではなく、Ｄ２Ｄ通信を行うＵＥ１００−１が、Ｄ２Ｄ通信のためのスケジューリングを行う。従って、上述した実施形態では、ＵＥ１００−１とｅＮＢ２００との間及びＵＥ１００−２とｅＮＢ２００との間には、Ｄ２Ｄ通信を制御するためのリンク（Ｃｏｎｔｒｏｌ  Ｌｉｎｋ）が設けられていたが、本変形例では、ＵＥ１００−１とＵＥ１００−２との間に、Ｄ２Ｄ通信を制御するためのリンク（Ｃｏｎｔｒｏｌ  Ｌｉｎｋ）が設けられている。
【０１０２】
図１１に示すように、ｅＮＢ２００は、ＵＥ１００−２の参照信号設定情報をＵＥ１００−２に送信し、ＵＥ１００−２は、ＵＥ１００−２の参照信号設定情報を受信している。また、ＵＥ１００−１（Ｄ２ＤＵＥ１００−１（Ｍａｓｔｅｒ））及びＵＥ１００−２（Ｄ２ＤＵＥ１００−２（Ｓｌａｖｅ））は、Ｄ２Ｄ通信を行っている。
【０１０３】
ステップ２０１において、ＵＥ１００−１は、ＵＥ１００−２の参照信号設定情報要求（ＲＳ  ｃｏｎｆｉｇｕｒａｔｉｏｎ  Ｒｅｑｕｅｓｔ）をｅＮＢ２００に送信する。ｅＮＢ２００は、参照信号設定情報要求を受信する。参照信号設定情報要求は、当該要求を送信するＵＥ１００（ＵＥ１００−１）とは異なるＵＥ１００（ＵＥ１００−２）の参照信号設定情報を要求するものである。
【０１０４】
ステップ２０２において、ｅＮＢ２００は、参照信号設定情報要求に基づいて、ＵＥ１００−１に、ＵＥ１００−２の参照信号設定情報を送信する。ＵＥ１００−１は、参照信号設定情報を受信する。
【０１０５】
ステップ２０３から２０５は、第１実施形態のステップ１０４、１０５、１０６に対応する。
【０１０６】
ステップ２０６において、第１実施形態のステップ１１２と同様に、ＵＥ１００−１は、ステップ２０５において測定したチャネル状態に基づいて、Ｄ２Ｄ通信のスケジューリングを行う。具体的には、ＵＥ１００−１及びＵＥ１００−２にＤ２Ｄ通信に用いられる無線リソースの割り当てを行う。
【０１０７】
ステップ２０７において、第１実施形態のステップ１１３と同様に、測定したチャネル状態に基づいて、ＵＥ１００−１及びＵＥ１００−２について、適応無線リンクの制御を実行する。
【０１０８】
なお、ＵＥ１００−１とＵＥ１００−２との送受信アンテナの本数が同じである場合には、チャネルの可逆性により、ＵＥ１００−２からＵＥ１００−１へのチャネル推定が可能となる。従って、ＵＥ１００−１は、ＵＥ１００−２との送受信アンテナの本数が同じである場合には、ステップ２０５において測定したチャネル状態に基づいて、ステップ２０６及び２０７のＤ２Ｄ通信のスケジューリングを行う。すなわち、ＵＥ１００−２からＵＥ１００−１へのチャネル状態を考慮してスケジューリングを行う場合であっても、ＵＥ１００−２が、ＵＥ１００−１からの参照信号を受信してチャネル状態を測定し、測定した結果をＵＥ１００−１に送信する処理を省略することができる。
【０１０９】
ステップ２０８において、ステップ２０６及び２０７のＤ２Ｄ通信のスケジューリング結果をＵＥ１００−２に送信する。ＵＥ１００−２は、スケジューリング結果を受信する。
【０１１０】
ＵＥ１００−１及びＵＥ１００−２のそれぞれは、スケジューリング結果に基づいて、割り当てられた無線リソースを利用してＤ２Ｄ通信を行うと共に、相手端末にビームが向くようにビームフォーミングを行う。
【０１１１】
（第１実施形態のまとめ）
本実施形態では、ｅＮＢ２００が、上りリンクの参照信号のパラメータを指定する参照信号設定情報を各ＵＥ１００（ＵＥ１００−２及びＵＥ１００−３）のそれぞれに送信する。ＵＥ１００−１がｅＮＢ２００に上りリンクの参照信号を送信する。各ＵＥ１００が、ＵＥ１００−１から送信された上りリンクの参照信号を、参照信号設定情報に基づいて受信して各ＵＥ１００とＵＥ１００との間のチャネル状態を測定する。これにより、ＵＥ１００−１は、従来通りにｅＮＢ２００へ既存の上りリンクの参照信号（ＳＲＳ）を送信するだけで、各ＵＥ１００に対して、チャネル状態を測定するための参照信号を送信しなくても、各ＵＥ１００間のチャネル状態を測定できる。このため、ＵＥ１００−１は、各ＵＥ１００に対して、各ＵＥ１００間のチャネル状態を測定するために、個別に参照信号を送信せずに済む。また、各ＵＥ１００間のチャネル状態を測定するために、既存の参照信号を共有することによって、新たな参照信号を規定しなくてもよいため、既存の参照信号と新たな参照信号を併用することによる無線リソースの使用を抑制できる。このため、システム全体として無線リソースが圧迫されることを抑制しつつ、ＵＥ１００−１からチャネル状態を測定することができる。
【０１１２】
なお、ＳＲＳは、もともとｅＮＢ２００への参照信号であるため、ＵＥ１００−１は、ＵＥ１００−２とＵＥ１００−３に向けてＳＲＳを送信していないため、ＵＥ１００−２及びＵＥ１００−３は、ＳＲＳを傍受していると考えられる。もちろん、ＵＥ１００−１は、ｅＮＢ２００だけでなく、ＵＥ１００−２及びＵＥ１００−３を含む他のノードに向けてＳＲＳを送信してもよい。
【０１１３】
また、本実施形態では、各ＵＥ１００（ＵＥ１００−２及びＵＥ１００−３）は、チャネル状態情報をｅＮＢ２００に送信し、ｅＮＢ２００は、Ｄ２Ｄ通信のために、チャネル状態情報に基づいてＵＥ１００−１及びＵＥ１００−２のスケジューリングを行う。これにより、ＵＥ１００−１及びＵＥ１００−２の間のチャネル状態に基づいて、スケジューリングが行われているため、ＵＥ１００−１及びＵＥ１００−２は、干渉が抑制された状態で、Ｄ２Ｄ通信を行うことができる。
【０１１４】
また、本実施形態では、ｅＮＢ２００が、上りリンクの参照信号を受信してｅＮＢ２００とＵＥ１００−１との間のチャネル状態を測定し、ｅＮＢ２００は、ＵＥ１００へのビームフォーミング及び／又はヌルステアリングのために、ＵＥ１００−１とＵＥ１００−２との間のチャネル状態及び／又はｅＮＢ２００及びＵＥ１００−１の間のチャネル状態に基づいてＵＥ１００のスケジューリングを行う。これにより、例えば、ｅＮＢ２００がＵＥ１００からの干渉信号を受信することを抑制できる。
【０１１５】
また、本実施形態の変形例では、ＵＥ１００−１が、ＵＥ１００−１が測定したチャネル状態に基づいて、Ｄ２Ｄ通信のスケジューリングを行う。これにより、ＵＥ１００−１は、ＵＥ１００−２からＤ２Ｄ通信における信号を良好に受信することができる。
【０１１６】
また、本実施形態の変形例では、ＵＥ１００−１が、ＵＥ１００−１の参照信号設定情報の送信を要求し、ｅＮＢ２００は、参照信号設定情報の送信の要求に基づいて、参照信号設定情報を送信する。これにより、ｅＮＢ２００は、当該要求があったときに、参照信号設定情報を送信すればよいため、ＵＥ１００−１の参照信号設定情報を受信する予定のない通信装置に、参照信号設定情報を送信せずに済む。
【０１１７】
［第２実施形態］
次に、図面を参照して、３ＧＰＰ規格に準拠して構成されるセルラ通信システム（ＬＴＥシステム）を無線ＬＡＮ（ＷＬＡＮ）システムと連携させる場合の実施形態を説明する。なお、上述した実施形態と異なる部分を中心に説明し、同様の部分は、説明を適宜省略する。
【０１１８】
（システム構成）
図１２は、第２実施形態に係るシステム構成図である。
【０１１９】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【０１２０】
Ｅ−ＵＴＲＡＮ１０は、ｅＮＢ２００（ｅｖｏｌｖｅｄ  Ｎｏｄｅ−Ｂ）と、ＨｅＮＢ２５０（Ｈｏｍｅ  ｅｖｏｌｖｅｄ  Ｎｏｄｅ−Ｂ）と、ＰｅＮＢ３００（Ｐｅｃｏ  ｅｖｏｌｖｅｄ  Ｎｏｄｅ−Ｂ）とを含む。ｅＮＢ２００、ＨｅＮＢ２５０及びＰｅＮＢ３００は、セルラ基地局に相当する。
【０１２１】
ｅＮＢ２００、ＨｅＮＢ２５０及びＰｅＮＢ３００は、１又は複数のセルを管理しており、自セルとの接続（ＲＲＣコネクション）を確立したＵＥ１００との無線通信を行う。なお、ｅＮＢ２００は、大セルを管理し、ＨｅＮＢ３００は、大セルよりもカバー範囲が狭い特定セル（小セル）を管理し、ＰｅＮＢ３００は、大セルよりもカバー範囲が狭い小セルを管理している。
【０１２２】
特定セルは、設定されるアクセスモードに応じて、「ＣＳＧセル」、「ハイブリッドセル」、又は「オープンセル」と称される。
【０１２３】
ＣＳＧセルは、アクセス権を有するＵＥ１００（「メンバーＵＥ」と称される）のみがアクセス可能なセルであり、ＣＳＧ  ＩＤをブロードキャストする。ＵＥ１００は、自身がアクセス権を有するＣＳＧセルのＣＳＧ  ＩＤのリスト（ホワイトリスト）を保持しており、当該ホワイトリストと、ＣＳＧセルがブロードキャストするＣＳＧ  ＩＤと、に基づいて、アクセス権の有無を判断する。
【０１２４】
ハイブリッドセルは、メンバーＵＥが非メンバーＵＥよりも有利に取り扱われるセルであり、ＣＳＧ  ＩＤに加えて、非メンバーＵＥにも解放されたセルであることを示す情報をブロードキャストする。ＵＥ１００は、ホワイトリストと、ハイブリッドセルがブロードキャストするＣＳＧ  ＩＤと、に基づいて、アクセス権の有無を判断する。
【０１２５】
オープンセルは、メンバーであるか否かを問わずＵＥ１００が同等に取り扱われるセルであり、ＣＳＧ  ＩＤをブロードキャストしない。ＵＥ１００の視点では、オープンセルはセルと同等である。
【０１２６】
なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【０１２７】
ｅＮＢ２００は、Ｘ２インターフェイスを介して相互に接続される。また、ｅＮＢ２００は、Ｓ１インターフェイスを介して、ＥＰＣ２０に含まれるＭＭＥ／Ｓ−ＧＷ５００と接続される。ＨｅＮＢ２５０及びＰｅＮＢ３００も、ｅＮＢ２００と同様に、Ｘ２インターフェイスを介して相互に接続される。また、ｅＮＢ２００とＰｅＮＢ３００とはＸ２インターフェイスを介して接続される。
【０１２８】
ＷＬＡＮシステムは、ＷＬＡＮ  ＡＰ（以下、「ＡＰ」と称する）４００を含む。ＷＬＡＮシステムは、例えばＩＥＥＥ  ８０２．１１諸規格に準拠して構成される。ＡＰ４００は、セルラ周波数帯とは異なる周波数帯（ＷＬＡＮ周波数帯）でＵＥ１００との通信を行う。ＡＰ４００は、ルータなどを介してＥＰＣ２０に接続される。
【０１２９】
次に、ＵＥ１００、ＡＰ４００の構成を説明する。なお、ＨｅＮＢ２５０及びＰｅＮＢ３００の構成は、上述した第１実施形態のｅＮＢ２００と同様の構成である。
【０１３０】
図１３は、ＵＥ１００のブロック図である。図１３に示すように、ＵＥ１００は、アンテナ１０１及び１０２と、セルラ送受信機（セルラ通信部）１１５と、ＷＬＡＮ送受信機（無線ＬＡＮ通信部）１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。ＷＬＡＮ送受信機（無線ＬＡＮ通信部）１１２を除いて、上述した第１実施形態のＵＥ１００と同様の構成である。
【０１３１】
セルラ送受信機１１５は、セルラ通信だけでなく、Ｄ２Ｄ通信の両方を実施するためのものである。セルラ送受信機１１５は、第１実施形態の無線送受信機１１０に相当する。
【０１３２】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【０１３３】
図１４は、ＡＰ４００のブロック図である。図１４に示すように、ＡＰ４００は、アンテナ４０１及び４０２と、セルラ送受信機（セルラ通信部）４１０と、ＷＬＡＮ送受信機（無線ＬＡＮ通信部）４１２と、ネットワークインターフェイス４２０と、メモリ４３０と、プロセッサ４４０と、を有する。
【０１３４】
アンテナ４０１及びセルラ送受信機４１０は、セルラ無線信号の送受信に用いられる。セルラ送受信機４１０は、プロセッサ４４０が出力するベースバンド信号をセルラ無線信号に変換してアンテナ４０１から送信する。また、セルラ送受信機４１０は、アンテナ４０１が受信するセルラ無線信号をベースバンド信号に変換してプロセッサ４４０に出力する。
【０１３５】
本実施形態において、アンテナ４０１及びセルラ送受信機４１０は、ＵＥ１００からの参照信号を受信するために用いられる。なお、ＡＰ４００は、セルラ送受信機４１０の代わりに、参照信号の受信に用いられる受信機を有していてもよい。
【０１３６】
アンテナ４０１及びＷＬＡＮ送受信機４１０は、ＷＬＡＮ無線信号の送受信に用いられる。ＷＬＡＮ送受信機４１０は、プロセッサ４４０が出力するベースバンド信号をＷＬＡＮ無線信号に変換してアンテナ４０１から送信する。また、ＷＬＡＮ送受信機４１０は、アンテナ４０１が受信するＷＬＡＮ無線信号をベースバンド信号に変換してプロセッサ４４０に出力する。
【０１３７】
ネットワークインターフェイス４２０は、ルータなどを介してＥＰＣ２０と接続される。また、ネットワークインターフェイス４２０は、ＥＰＣ２０を介したｅＮＢ２００との通信に使用される。
【０１３８】
メモリ４３０は、プロセッサ４４０によって実行されるプログラムと、プロセッサ３４０による処理に使用される情報と、を記憶する。プロセッサ４４０は、ベースバンド信号の変調・復調及び符号化・復号などを行うベースバンドプロセッサと、メモリ４３０に記憶されるプログラムを実行して各種の処理を行うＣＰＵと、を含む。プロセッサ４４０は、後述する各種の処理及び各種の通信プロトコルを実行する。
【０１３９】
なお、メモリ４３０をプロセッサ４４０と一体化し、このセット（すなわち、チップセット）をプロセッサ４４０としてもよい。
【０１４０】
（第２実施形態に係るシステムの概略動作）
次に、第２実施形態に係るシステムの概略動作について、図１５及び図１６を用いて説明する。図１５は、第１実施形態に係る移動通信システムの状況を説明するための説明図である。図１６は、第１実施形態に係る移動通信システムの動作例を示すシーケンス図である。なお、上述した実施形態と異なる部分を中心に説明し、同様の部分は、説明を適宜省略する。
【０１４１】
上述した第１実施形態では、ＵＥ１００−１からの参照信号を、ＵＥ１００−２、ＵＥ１００−３及びｅＮＢ２００が受信していたが、本実施形態では、図１５に示すように、ＵＥ１００−１からの参照信号（Ｃｏｍｍｏｎ  ＳＲＳ）を、ＵＥ１００−２、ｅＮＢ２００（ＭｅＮＢ２００、ＨｅＮＢ及びＰｅＮＢ３００）、ＡＰ４００が受信する。
【０１４２】
本実施形態において、図１５に示すように、ＵＥ１００−１とＵＥ１００−２との間には、Ｄ２Ｄ通信用のデータを送受信するためのリンク（Ｄａｔａ  Ｌｉｎｋ）が設けられている。なお、ＵＥ１００−１及びＵＥ１００−２は、ｅＮＢ２００が管理するセルとの接続（ＲＲＣ接続）又は少なくともＣ−ｐｌａｎｅ（制御プレーン）との接続を確立している。
【０１４３】
なお、本実施形態において、ＭｅＮＢ２００は、ＵＥ１００−１の接続先を選択する判定装置を備えている。従って、ＭｅＮＢ２００が、後述するステップ３０７から３０９の処理を実行する。
【０１４４】
図１６に示すように、ステップ３０１から３０６は、第１実施形態のステップ１０１、１０２、１０４から１０６、１１１に対応する。
【０１４５】
なお、ステップ３０２において、ＭｅＮＢ２００は、ＵＥ１００−１の参照信号設定情報をＡＰ４００に通知する。ＡＰ４００は、ＵＥ１００−１の参照信号設定情報を受信する。ＡＰ４００は、ネットワークを経由して、ＵＥ１００−１の参照信号設定情報を受信してもよいし、セルラ送受信機４１０によってＭｅＮＢ２００から直接受信してもよいし、又はＵＥ１００を経由して受信してもよい。また、ステップ３０４において、ＡＰ４００は、ＵＥ１００−１から参照信号を受信する。本実施形態において、ＡＰ４００は、セルラ送受信機４１０によってＵＥ１００−１から参照信号を受信する。また、ステップ３０６において、ＡＰ４００は、ｅＮＢ２００にチャネル報告を行う。
【０１４６】
なお、ステップ３０５におけるチャネル状態の測定は、参照信号の受信電力を測定することを含む。なお、参照信号の受信周波数と実際の通信周波数が異なる場合は、測定値の周波数補正（変換）が実施されてもよい。
【０１４７】
ステップ３０６において、各通信装置（ＵＥ１００−２、ＨｅＮＢ２５０、ＰｅＮＢ３００及びＡＰ４００）からＭｅＮＢ２００に送信されるチャネル報告は、後述する最適パスの推定を行うために必要な情報を含む。例えば、チャネル報告は、測定した参照信号の受信電力の情報を含む。なお、チャネル報告は、チャネル報告を送信（通知）する通信装置の識別子（セルＩＤ、ＡＰ識別子、ＵＥ識別子）及び参照信号を送信したＵＥ１００の識別子を示す情報を含む。
【０１４８】
また、各通信装置は、チャネル報告と共に、各通信装置の通信に関する通信情報を送信（通知）してもよい。ここで、通信情報は、後述する最適パスの推定を行うために用いられる情報である。通信情報は、例えば、通信情報は、リンク種別（ＬＴＥ、Ｄ２Ｄ、ＷＬＡＮなど）、通信装置の負荷状況（キャパシティの余裕度、リソース使用率）、通信装置が実際に提供可能なキャリア周波数のいずれかを示す情報を含んでもよい。
【０１４９】
ステップ３０７において、ＭｅＮＢ２００は、ステップ３０６において報告されたチャネル報告に基づいて、最適パスの推定を行う。具体的には、ＭｅＮＢ２００は、ＵＥ１００−１が、各通信装置と接続した状態で、ＵＥ１００−２と通信を行った場合に、ＵＥ１００−１からＵＥ１００−２への通信品質が良好なパスを推定する。すなわち、本実施形態では、ＭｅＮＢ２００は、現在のＤ２Ｄ通信における通信品質の推定値と、ＭｅＮＢ２００を介したセルラ通信における通信品質の推定値と、ＨｅＮＢ２００を介したセルラ通信における通信品質の推定値と、ＰｅＮＢ３００を介したセルラ通信における通信品質の推定値と、ＡＰ４００を介した無線通信における通信品質の推定値と、を算出する。例えば、ＭｅＮＢ２００は、チャネル報告に含まれる各通信装置の受信電力に基づいて、各通信装置の通信品質の推定値を算出する。
【０１５０】
ＭｅＮＢ２００は、通信情報を受信している場合には、チャネル報告だけでなく、通信情報に基づいて、最適な接続先を判定してもよい。例えば、リンク種別及び通信装置の負荷状況に基づいて、スループットを推定し、各通信装置のスループットも考慮した上で、各通信装置の通信品質の推定値を算出してもよい。
【０１５１】
また、ＭｅＮＢ２００は、通信方式が異なるＡＰ４００が、実際に適用な可能な周波数を考慮した上で、通信品質が最適なパスを推定してもよい。すなわち、ＵＥ１００−１がＡＰ４００を介してＵＥ１００−２と通信を行った場合に、参照信号が実際に送信した際に用いた周波数帯ではなく、ＵＥ１００−１が用いる周波数帯に変換した上で、最適なパスを推定してもよい。
【０１５２】
ステップ３０８において、ＭｅＮＢ２００は、現在のパス状態が、他のパス状態よりも小さいか否かを判定する。この判定によって、ＭｅＮＢ２００は、現在のＤ２Ｄ通信における通信品質が、他の通信装置を経由した通信における通信品質よりも悪いと判定した場合（Ｙｅｓの場合）、ステップＳ３０９の処理を実行する。一方、ＭｅＮＢ２００は、現在のＤ２Ｄ通信における通信品質が、他の通信装置を経由した通信における通信品質よりも良好であると判定した場合（Ｎｏの場合）、現在の接続先が最適な接続先であると判定し、処理を終了する。
【０１５３】
ステップ３０９において、ＭｅＮＢ２００は、最適な接続先を選択するために、接続先の変更の決定を行う。具体的には、ＭｅＮＢ２００は、通信品質が最も良好である通信装置を接続先として決定する。
【０１５４】
本実施形態において、ＭｅＮＢ２００は、ＰｅＮＢ３００を経由した通信品質が最も良好であると仮定して説明を進める。ＭｅＮＢ２００は、ＵＥ１００−１に、ＰｅＮＢ３００を介したセルラ通信を行わせるため、以下の処理を実行する。
【０１５５】
ステップ３１０において、ＭｅＮＢ２００は、ＰｅＮＢ３００にハンドオーバ要求（Ｈａｎｄｏｖｅｒ  ｒｅｑｕｅｓｔ）を送信する。ＰｅＮＢ３００は、ハンドオーバ要求を受信する。
【０１５６】
ステップ３１１において、ＰｅＮＢ３００は、ハンドオーバ要求に応じて、ハンドオーバ応答（Ｈａｎｄｏｖｅｒ  ｒｅｓｐｏｎｓｅ）をＭｅＮＢ２００に送信する。本実施形態において、ＰｅＮＢ３００がハンドオーバ要求を容認すると仮定して説明を進める。
【０１５７】
ステップ３１２において、ＭｅＮＢ２００は、ＰｅＮＢ３００を介してセルラ通信を行わせるために、ＵＥ１００−１及びＵＥ１００−２のそれぞれにチャネルコマンドを送信する。
【０１５８】
ステップ３１３において、ＵＥ１００−１及びＵＥ１００−２のそれぞれは、ＰｅＮＢ３００にハンドオーバを実行する。その後、ＵＥ１００−１及びＵＥ１００−２のそれぞれは、ＰｅＮＢ３００を介したセルラ通信を行う。
【０１５９】
（第２実施形態の変形例に係るシステムの概略動作）
次に、第２実施形態の変形例に係るシステムの概略動作について、図１７及び図１８を用いて説明する。図１７は、第２実施形態の変形例に係る移動通信システムの状況を説明するための説明図である。図１８は、第２実施形態の変形例に係る移動通信システムの動作例を示すシーケンス図である。なお、上述した実施形態と異なる部分を中心に説明し、同様の部分は、説明を適宜省略する。
【０１６０】
図１７に示すように、本変形例では、ＵＥ１００が接続するＭｅＮＢ２００−１に隣接するＭｅＮＢ２００−２及びＭｅＮＢ２００−２が管理するセル内に位置するＰｅＮＢ３００−４も、ＵＥ１００からの参照信号（ＳＲＳ）を受信する。
【０１６１】
図１８に示すように、ステップ４０１において、ＭｅＮＢ２００−１（サービングセル：Ｓｅｒｖｉｎｇ  Ｃｅｌｌ）は、ＵＥ１００の参照信号の送信タイミングを設定する。
【０１６２】
ステップ４０２において、ＭｅＮＢ２００−１は、設定したＵＥ１００の参照信号の送信タイミングを、ＵＥ１００、ＭｅＮＢ２００−２（Ｎｅｉｇｈｂｏｒ  Ｍａｃｒｏ  Ｃｅｌｌ）及びＰｅＮＢ３００−４（Ｎｅｉｇｈｂｏｒ  Ｓｍａｌｌ  Ｃｅｌｌ）に通知する。ＭｅＮＢ２００−１は、ＵＥ１００の参照信号設定情報に含めて、ＵＥ１００の参照信号の送信タイミングをＵＥ１００に通知してもよい。また、ＭｅＮＢ２００−１は、ＵＥ１００の参照信号設定情報に含めて、ＵＥ１００の参照信号の送信タイミングをＭｅＮＢ２００−２及びＰｅＮＢ３００−４にＸ２インターフェイスを介して通知してもよい。
【０１６３】
なお、ＭｅＮＢ２００−１は、隣接するＭｅＮＢ２００−２及びＰｅＮＢ３００−４だけでなく、自身が管理するセル内に位置するＰｅＮＢ３００−１〜ＰｅＮＢ３００−３に、設定したＵＥ１００−１の参照信号の送信タイミングを送信してもよい。
【０１６４】
設定したＵＥ１００の参照信号の送信タイミングは、ＵＥ１００の参照信号を受信するタイミングを調整するために用いられる。なお、ＭｅＮＢ２００−１は、ＭｅＮＢ２００−２及びＰｅＮＢ３００−４のそれぞれが、ＵＥ１００の参照信号を受信するための補正値であるタイミングアドバンス値を、設定したＵＥ１００の参照信号の送信タイミングの代わりに、通知してもよい。
【０１６５】
ステップ４０３において、ＭｅＮＢ２００−２及びＰｅＮＢ３００−４のそれぞれは、ＵＥ１００からの参照信号の受信を行うか否かを判定する。例えば、ＭｅＮＢ２００−２が、自身が管理するセル内に位置するＵＥに対して、ＭｅＮＢ２００−１が管理するセルに位置するＵＥ１００の参照信号設定情報と同じ参照信号設定情報を設定している場合、ＵＥ１００からの参照信号の受信を行わないと判定してもよい。
【０１６６】
ＭｅＮＢ２００−２及びＰｅＮＢ３００−４のそれぞれは、ＵＥ１００からの参照信号の受信を行わないと判定した場合（Ｎｏｔ  ａｃｃeｐｔｉｎｇ）、処理を終了する。一方、ＭｅＮＢ２００−２及びＰｅＮＢ３００−４のそれぞれは、ＵＥ１００からの参照信号の受信を行うと判定した場合（Ａｃｃｅｐｔｉｎｇ）、ステップ４０４の処理を実行する。
【０１６７】
ステップ４０４において、ＭｅＮＢ２００−２及びＰｅＮＢ３００−４のそれぞれは、ＭｅＮＢ２００−１から通知されたＵＥ１００の参照信号の送信タイミングに基づいて、ＵＥ１００−１から参照信号を受信するための準備を行う。
【０１６８】
ステップＳ４０５において、ＵＥ１００は、参照信号を送信する。ＭｅＮＢ２００−１、ＭｅＮＢ２００−２及び各ＰｅＮＢ３００は、参照信号設定情報に基づいて、ＵＥ１００からの参照信号を受信する。
【０１６９】
以後の処理は、上述の第２実施形態と同様である。
【０１７０】
なお、複数のポイントが協調してＵＥ１００との通信を行う通信形態であるＣｏＭＰを実施するために、ＭｅＮＢ２００−１、ＭｅＮＢ２００−２、各ＰｅＮＢ３００が測定したチャネル状態に基づいて、複数のポイントを選択してもよい。
【０１７１】
選択されたポイント（例えば、ＭｅＮＢ２００−１とＭｅＮＢ２００−２）は、測定したチャネル状態に基づいて、協調してＵＥ１００と通信を行う。例えば、ＭｅＮＢ２００−１とＭｅＮＢ２００−２とが、ＭｅＮＢ２００−１が測定したチャネル状態及びＭｅＮＢ２００−２が測定したチャネル状態に基づいて、協調してＵＥ１００との通信を行ってもよい。
【０１７２】
（第２実施形態のまとめ）
本実施形態では、各通信装置（ＵＥ１００−２、ＨｅＮＢ２５０、ＰｅＮＢ３００及びＡＰ４００）は、ＵＥ１００−１（及びＵＥ１００−２）の接続先を選択するＭｅＮＢ２００にチャネル状態情報を通知し、ＭｅＮＢ２００は、通知されたチャネル状態情報及びｅＮＢ２００が測定したチャネル状態に基づいて、ＵＥ１００−１の接続先を選択する。これにより、ＵＥ１００−１は、各通信装置とのチャネル状態に基づいて良好な通信状態の接続先が選択されることにより、良好に通信を行うことが可能になる。
【０１７３】
また、本実施形態では、各通信装置（ＵＥ１００−２、ＨｅＮＢ２５０、ＰｅＮＢ３００及びＡＰ４００）は、チャネル報告と共に、各通信装置の通信に関する通信情報を送信し、ＭｅＮＢ２００は、チャネル状態情報と通信情報とに基づいて、ＵＥ１００−１の接続先を選択する。これにより、ＵＥ１００−１の接続先が、チャネル状態だけでなく、各通信装置の通信情報が反映されるため、ＭｅＮＢ２００は、より適切にＵＥ１００−１の接続先を選択することができる。
【０１７４】
また、本実施形態の変形例では、ＭｅＮＢ２００−１とＭｅＮＢ２００−２とが、ＭｅＮＢ２００−１が測定したチャネル状態及びＭｅＮＢ２００−２が測定したチャネル状態に基づいて、協調してＵＥ１００との通信を行う。これにより、測定した参照信号を有効に活用することができる。
【０１７５】
また、本実施形態の変形例では、参照信号設定情報は、参照信号を受信するタイミングを調整するためのＵＥ１００の参照信号の送信タイミングを含む。これにより、ＭｅＮＢ２００−２及びＰｅＮＢ３００−４は、ＵＥ１００の参照信号を受信するタイミングを調整できるため、ＵＥ１００の参照信号の受信が失敗することを抑制できる。
【０１７６】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１７７】
例えば、上述した第１実施形態では、ｅＮＢ２００は、各ＵＥ１００に参照信号設定情報を送信していたがこれに限られない。ｅＮＢ２００は、各ＵＥ１００に参照信号設定情報を直接的に送信せずに、他の通信装置（例えば、ＵＥ１００）を介して参照信号を通知してもよい。例えば、第１実施形態において、ｅＮＢ２００は、ＵＥ１００−１を経由して、ＵＥ１００−２に参照信号設定情報を通知してもよい。
【０１７８】
また、第１実施形態において、ｅＮＢ２００は、失敗情報を受信したことによって、ＵＥ１００−２及びＵＥ１００−３が参照信号の受信（傍受）が失敗したことを知っていたが、これに限られない。例えば、ｅＮＢ２００は、ステップ１１１におけるチャネル報告を受信すべきタイミングで受信できない場合にＵＥ１００−２及びＵＥ１００−３のそれぞれが参照信号の受信が失敗したことを知ってもよい。
【０１７９】
また、第１実施形態の変形例において、ＵＥ１００−２からの参照信号を受信したＵＥ１００−１がスケジューリングを行ったが、これに限られない。ＵＥ１００−２が、ＵＥ１００−１からチャネル状態情報を受信して、スケジューリングを行ってもよい。
【０１８０】
また、第１実施形態の変形例において、ＵＥ１００−２が、参照信号を設定し、設定した参照信号の内容を示す参照信号設定情報をｅＮＢ２００に送信してもよい。ｅＮＢ２００は、ＵＥ１００−２からの参照信号設定情報をＵＥ１００−１に送信してもよい。
【０１８１】
また、第２実施形態において、ＡＰ４００は、セルラ送受信機４１０によってＵＥ１００−１から参照信号を受信していたが、これに限られず、ＡＰ４００がセルラ送受信機４１０を備えていなくても、ＡＰ４００は、ＵＥ１００−１からの参照信号の周波数をシフトして受信してもよい。
【０１８２】
なお、ステップ３０１におけるＵＥ１００−１からの参照信号は、従来から規定されているＳＲＳであってもよいし、例えば、ｅＮＢ２００及びＡＰ４００が共通して受信できる参照信号（Ｃｏｍｍｏｎ  ＳＲＳ）であってもよい。
【０１８３】
また、第２実施形態において、ＭｅＮＢ２００が、判定装置を備えていたが、これに限られない。例えば、ＭｅＮＢ２００の上位装置であるＭＭＥが、判定装置を備えていてもよいし、ネットワーク上のサーバに判定装置が備えられていてもよい。また、ＭｅＮＢ２００の制御部によって、判定装置（判定部）が構成されていてもよい。
【０１８４】
また、第２実施形態において、上りリンク及び下りリンクの両方の接続先を変更するのではなく、ＵＥ１００から送信される（上り）リンクの接続先だけを変更してもよい。
【符号の説明】
【０１８５】
１０…Ｅ−ＵＴＲＡＮ、  ２０…ＥＰＣ、  １００，１００−１，１００−２，１００−３…ＵＥ（ユーザ端末）、  １０１，１０２…アンテナ、  １１０…無線送受信機、１１２…ＷＬＡＮ送受信機、    １１５…セルラ送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２，２００−３…ｅＮＢ、ＭｅＮＢ（無線基地局）、  ２０１…アンテナ、  ２１０…無線送受信機、  ２２０…ネットワークインターフェイス、  ２３０…メモリ、  ２４０，２４０’…プロセッサ、  ２５０…ＨｅＮＢ、  ３００…ＰｅＮＢ、  ４００…ＡＰ（無線ＬＡＮアクセスポイント）、  ４０１，４０２…アンテナ、  ４１０…セルラ送受信機、  ４１２…ＷＬＡＮ送受信機、  ４２０…ネットワークインターフェイス、  ４３０…メモリ、  ４４０，４４０’…プロセッサ、  ５００…ＭＭＥ／Ｓ−ＧＷ、  ６００…ＯＡＭ
【図１】
2015012404.tif 000003
【図２】
2015012404.tif 000004
【図３】
2015012404.tif 000005
【図４】
2015012404.tif 000006
【図５】
2015012404.tif 000007
【図６】
2015012404.tif 000008
【図７】
2015012404.tif 000009
【図８】
2015012404.tif 000010
【図９】
2015012404.tif 000011
【図１０】
2015012404.tif 000012
【図１１】
2015012404.tif 000013
【図１２】
2015012404.tif 000014
【図１３】
2015012404.tif 000015
【図１４】
2015012404.tif 000016
【図１５】
2015012404.tif 000017
【図１６】
2015012404.tif 000018
【図１７】
2015012404.tif 000019
【図１８】
2015012404.tif 000020